(57)【要約】  一部の実施形態では、検出器は、ユーザの体を検出することができる。コントローラは、検出器に応じてユーザの焦点の領域を特定し、焦点の領域内にないディスプレイの部分を減光することができる。他の実施形態が、説明され、特許請求されている。【選択図】図１
2015510139.tif 000002
【特許請求の範囲】
【請求項１】
ユーザの体を検出する検出ステップと、
前記検出ステップに応じて前記ユーザの焦点の領域を特定するステップと、
前記焦点の領域内にないディスプレイの部分を減光する減光ステップと
を含む方法。
【請求項２】
前記検出ステップが、前記ユーザの前記体の頭、顔、片目、両目、片耳、両耳、口、鼻、一方の肩、または両肩のうちの少なくとも１つを検出する、請求項１に記載の方法。
【請求項３】
前記検出ステップが、前記ユーザの位置、向き、または動きのうちの少なくとも１つを検出する、請求項１又は２に記載の方法。
【請求項４】
前記検出ステップが、前記ユーザの像を検出する、請求項１から３のいずれか一項に記載の方法。
【請求項５】
前記ユーザの前記焦点の領域を特定する前記ステップが、前記ユーザの視線に対応する、請求項１から４のいずれか一項に記載の方法。
【請求項６】
前記減光ステップが、前記焦点の領域内にない前記ディスプレイの前記部分を部分的に減光するステップである、請求項１から５のいずれか一項に記載の方法。
【請求項７】
前記減光ステップが、前記焦点の領域内にない前記ディスプレイの前記部分を全体的に減光するステップである、請求項１から５のいずれか一項に記載の方法。
【請求項８】
前記ユーザの片目または両目を追跡することによって前記ユーザの前記体を検出するステップをさらに含む、請求項１から７のいずれか一項に記載の方法。
【請求項９】
前記ユーザの前記焦点の領域の変化を特定するステップと、
前記ユーザの前記焦点の領域の前記変化を特定する前記ステップに応じて、前記ディスプレイの減光された部分の減光を解除するステップと
をさらに含む、請求項１から８のいずれか一項に記載の方法。
【請求項１０】
前記ユーザの前記焦点の領域の輪郭を前記ディスプレイ上に表示するステップと、
前記ユーザの前記焦点の領域の前記変化を特定する前記ステップに応じて、前記輪郭を徐々に消すステップと
をさらに含む、請求項９に記載の方法。
【請求項１１】
ディスプレイと、
ユーザの体を検出する検出器と、
前記検出器に応じて前記ユーザの焦点の領域を特定し、前記焦点の領域内にない前記ディスプレイの部分を減光するコントローラと
を備える機器。
【請求項１２】
前記検出器が、前記ユーザの前記体の頭、顔、片目、両目、片耳、両耳、口、鼻、一方の肩、または両肩のうちの少なくとも１つを検出する、請求項１１に記載の機器。
【請求項１３】
前記検出器が、前記ユーザの前記体の位置、向き、または動きのうちの少なくとも１つを検出する、請求項１１又は１２に記載の機器。
【請求項１４】
前記検出器が、前記ユーザの像を検出するカメラである、請求項１１から１３のいずれか一項に記載の機器。
【請求項１５】
前記コントローラが、前記ユーザの視線を特定することによって前記ユーザの前記焦点の領域を特定する、請求項１１から１４のいずれか一項に記載の機器。
【請求項１６】
前記コントローラが、前記焦点の領域内にない前記ディスプレイの前記部分を部分的に減光する、請求項１１から１５のいずれか一項に記載の機器。
【請求項１７】
前記コントローラが、前記焦点の領域内にない前記ディスプレイの前記部分を全体的に減光する、請求項１１から１５のいずれか一項に記載の機器。
【請求項１８】
前記検出器が、前記ユーザの片目または両目を追跡することによって前記ユーザの前記体を検出する、請求項１１から１７のいずれか一項に記載の機器。
【請求項１９】
前記コントローラが、前記ユーザの前記焦点の領域の変化を特定し、前記ユーザの前記焦点の領域の前記変化の特定に応じて、前記ディスプレイの減光された部分の減光を解除する、請求項１１から１８のいずれか一項に記載の機器。
【請求項２０】
前記コントローラが、前記ユーザの前記焦点の領域の輪郭を前記ディスプレイ上に表示し、前記ユーザの前記焦点の領域の前記変化の特定に応じて前記輪郭を徐々に消す、請求項１９に記載の機器。
【発明の詳細な説明】
【技術分野】
【０００１】
本発明は、一般に、ユーザに応じたディスプレイの減光に関する。
【背景技術】
【０００２】
現在の電力管理の実施は、コンテキストアウェアではない。携帯機器は、例えば、一般的に、タッチされることと閉じられることにだけ応答する電力モードを有する。ユーザは、そのユーザが相対しているアプリケーション、作業、またはコンテンツとの相互作用の完全な喪失に気がつく。仮にそうでないとしても、今日の電力管理技術は、有意義な方法でコンテキストアウェアでない。それは、ユーザが何をしているのかまたはユーザがどのように作業、作成、消費しているのか等に応答しない。電力管理は、一般的に、例えば、ディスプレイスクリーンの減光に対応する電力管理の状態で、「全か無か」の仕組みになっている。
【０００３】
本発明は、本発明の一部の実施形態に関する以下に記載されている詳細な説明および添付図面からより完全に理解される。しかしながら、本発明の一部の実施形態は、本発明を説明されている特定の実施形態に限定すると考えられるべきものではなく、説明および理解のためだけのものである。
【図面の簡単な説明】
【０００４】
【図１】本発明の一部の実施形態に係るシステムを示している。
【図２】本発明の一部の実施形態に係るシステムを示している。
【発明を実施するための形態】
【０００５】
本発明の一部の実施形態は、ユーザの体に応じたディスプレイの減光に関する。
【０００６】
一部の実施形態では、ユーザの体が検出され、この検出に応じてユーザの焦点の領域が特定され、焦点の領域内にないディスプレイの部分が減光される。
【０００７】
一部の実施形態では、検出器は、ユーザの体を検出することができる。コントローラは、検出器に応じてユーザの焦点の領域を特定し、焦点の領域内にないディスプレイの部分を減光することができる。
【０００８】
図１は、一部の実施形態に係るシステム１００を示している。一部の実施形態では、システム１００は、ユーザ１０２および電子機器などの機器１０４を含む。一部の実施形態では、機器１０４は、コンピュータ、デスクトップコンピュータ、パーソナルコンピュータ、携帯電話、タブレット、ラップトップ、携帯機器、携帯インターネット機器、音楽プレーヤーなどのうちの１種類以上である。
【０００９】
一部の実施形態では、機器１０４は、ディスプレイ１０６およびカメラ１０８を含む。一部の実施形態では、ディスプレイ１０６は、ディスプレイスクリーンまたはデバイススクリーンなどである。一部の実施形態では、カメラ１０８は、スチルカメラ、ビデオカメラ、ウェブカメラなどである。一部の実施形態では、カメラ１０８は、機器１０４のディスプレイ１０６に結合され、および／または、機器１０４のディスプレイ１０６の一部である。
【００１０】
一部の実施形態では、ディスプレイ１０６は、積極的なユーザ焦点の領域１１２およびユーザ１０２によって積極的に見られていない領域１１４を含む。例えば、ユーザ１０２が、ディスプレイ１０６上に現れている特定のアプリケーションで作業しているとき、ユーザの注意は、領域１１２に集中しており、ユーザは、領域１１４に表示されているものには注意を払っていない。
【００１１】
一部の実施形態では、カメラ１０８は、ユーザ１０２を監視する。具体的には、一部の実施形態では、カメラ１０８は、ユーザの頭または目などの、ユーザの特定の体の領域を監視する。カメラ１０８によるユーザ１０２の監視に基づいて、ユーザ１０２が視界１２２のどこを注視しているのかが特定されてもよい。
【００１２】
一部の実施形態では、ユーザ１０２の視線は、電力管理を実行するために監視される。一部の実施形態では、ユーザ１０２の視界１２２は、ユーザが今集中しているディスプレイ１０６内の積極的な焦点の領域１１２を特定することを助けるために、カメラによる監視に応じて特定されてもよい。焦点の領域１１２が特定されると、一部の実施形態に従って、電力管理が実施される。例えば、一部の実施形態では、ユーザによって積極的に見られていないディスプレイ１０６の領域１１４が、機器１０４によって電力管理するために、減光される、完全に暗くされる、またはそうでなければ変更される。
【００１３】
図２は、一部の実施形態に係るシステム２００を示している。一部の実施形態では、システム２００は、ディスプレイ２０６、検出器２０８、およびコントローラ２１２を含む。一部の実施形態では、ディスプレイ２０６は、図１のディスプレイ１０６と同じまたは同様のディスプレイである。一部の実施形態では、検出器２０８は、（例えば、ユーザの焦点の領域を特定するために）ユーザの体を検出する検出器である。一部の実施形態では、検出器２０８は、ユーザの体の物理的特徴を検出する検出器である。例えば、一部の実施形態では、検出器２０８は、ユーザの頭、顔、片目、両目、片耳、両耳、口、鼻、一方の肩、両肩、および／または胴体などの位置、向き、または動きを検出する検出器である。
【００１４】
一部の実施形態では、検出器２０８は、視線追跡器である。一部の実施形態では、検出器２０８は、ユーザの片目または両目の動きを検出する視線追跡器である。一部の実施形態では、検出器２０８は、カメラ（例えば、図１のカメラ１０８と同じまたは同様のカメラ）である。一部の実施形態では、コントローラ２１２は、プロセッサである。
【００１５】
一部の実施形態では、検出器２０８は、ユーザの視線を検出する。検出される視線に応じて、コントローラ２１２は、 例えば、ユーザの視線がある持続期間にわたってディスプレイ２０６の特定の領域に向けられたか否かを判定する。一部の実施形態では、コントローラ２１２は、ユーザの視線に対応するディスプレイ２０６の特定の領域（例えば、一部の実施形態に係る図１の領域１１２）を計算する。一部の実施形態では、コントローラ２１２は、（例えば、電力の節約および／またはバッテリーの電力の節約のために）ユーザの視線の領域内にないディスプレイ２０６の領域を減光する、暗くする、またはそうでなければ変更する。一部の実施形態では、ディスプレイ２０６の一部のみが点灯され続ける。一部の実施形態では、コントローラ２１２およびディスプレイ２０６は、ユーザの視線の領域内にないディスプレイ２０６の領域を減光する、暗くする、またはそうでなければ変更するために視覚的目印を使用する。
【００１６】
一部の実施形態では、（例えば、ユーザが自分の目をディスプレイ２０６の異なる部分に向けて動かすことによって）ユーザの視線が変化すると、システム２００は、例えば全画面表示／点灯モードに復帰する。一部の実施形態では、これが起きた場合、前のユーザの視線の領域（すなわち、ユーザの注意が前に集中していた領域）の輪郭が、コントローラ２１２およびディスプレイ２０６を使用して提示される。一部の実施形態では、この輪郭の領域は、検出器２０８およびコントローラ２１２による視線検出が、直前の主な焦点の領域の外側へのユーザの目の動きを記録したときにゆっくりと徐々に消える。
【００１７】
一部の実施形態では、それがディスプレイの小さい部分だけでも、ディスプレイの一部を減光すること（例えば、部分的に減光すること、全体的に減光すること、および／または暗くすること）によって電力が節約される。これは、バッテリーの電力を使用する携帯機器において特に有用である。ディスプレイの一部を減光することによって、ユーザの目は、周辺の視覚的ノイズによって気を散らされる場合よりも手元の作業に集中することがより容易になる。さらに、一部の実施形態によれば、電力管理は、ディスプレイスクリーンの一部または全部の領域にわたる視線検出によって、スクリーンを全体的に減光するのではなく、わずかだけ減光することができるので、コンテキストアウェアである。一部の実施形態によれば、ユーザは、好みに合わせて、このツールの完全な使用または薄暗い使用（例えば、完全な減光またはわずかな減光、ユーザが調整可能な量の減光など）を選択する。
【００１８】
特定の方法で実施される一部の実施形態について、本明細書で説明してきたが、一部の実施形態によれば、これらの特定の実施態様は必要とされない場合もある。
【００１９】
一部の実施形態について、特定の実施態様に関連して説明してきたが、一部の実施形態によれば、他の実施態様も可能である。さらに、図面に示され、および／または本明細書で説明された回路要素または他の特徴の配置および／または順序は、図示および説明された特定の方法で組み立てられる必要はない。一部の実施形態によれば、多くの他の配置も可能である。
【００２０】
図に示されている各システムにおいて、要素はそれぞれ、表された要素が異なり得ることおよび／または同様であり得ることを示すために、場合によって同じ参照符号または異なる参照符号を有することがある。しかしながら、要素は、異なる実施態様を有し、かつ図示されているか、または本明細書で説明されているシステムの一部または全部と共に機能するほど十分に柔軟であってもよい。図面に示されている様々な要素は、同じであってもよいし、または異なってもよい。何が第１の要素として言及され、何が第２の要素と呼ばれるのかは任意である。
【００２１】
説明および特許請求の範囲において、「結合」および「接続」という用語は、その派生語と共に使用されてもよい。これらの用語が、互いの同義語として意図されてはいないことを理解すべきである。それどころか、特定の実施形態において、「接続」は、２つ以上の要素が互いに物理的または電気的に直接接触することを示すために使用されてもよい。「結合」は、２つ以上の要素が物理的または電気的に直接接触することを意味してもよい。しかしながら、さらに「結合」は、２つ以上の要素が、互いに直接接触していないにもかかわらず、互いに協働または相互作用することを意味してもよい。
【００２２】
アルゴリズムは、本明細書においておよび一般的に、所望の結果をもたらす、処または演算の自己矛盾のないシーケンスであると考えられる。これらは、物理量の物理的操作を含む。通常、必ずというわけではないが、これらの量は、記憶、転送、結合、比較、およびその他の操作を行うことができる電気的または磁気的な信号の形態をとる。主として一般的に使用されているという理由で、これらの信号をビット、値、要素、記号、文字、語、または数字などとして参照するのが時として便利であることが分かっている。しかしながら、これらおよび同様の用語はすべて、適切な物理量に関連付けられるべきであり、このような量に適用される便利な表示に過ぎないことを理解すべきである。
【００２３】
一部の実施形態は、ハードウェア、ファームウェア、およびソフトウェアの１つまたは組み合わせにおいて実施されてもよい。また、一部の実施形態は、本明細書で説明された動作を実行するために計算プラットフォームによって読み取られ、実行され得る、機械可読媒体に記憶される命令として実施されてもよい。機械可読媒体は、機械（例えば、コンピュータ）によって読み取り可能な形式の情報の記憶または伝送を行うための任意の機構を含んでもよい。例えば、機械可読媒体は、読み取り専用メモリ （ＲＯＭ）、ランダム・アクセス・メモリ（ＲＡＭ）、磁気ディスク記憶媒体、光学記憶媒体、フラッシュメモリ装置、電気的、光学的、音響的、または他の形式の伝搬信号（例えば、搬送波、赤外線信号、デジタル信号、信号の送信および／または受信を行うインターフェースなど）、およびその他を含んでもよい。
【００２４】
ある実施形態は、本発明の実施態様または例である。「ある実施形態」、「一実施形態」、「一部の実施形態」、または「他の実施形態」への本明細書における言及は、その実施形態に関連して説明された特定の特徴、構造、または特性が、本発明の、必ずしもすべての実施形態ではないが、少なくとも一部の実施形態に含まれることを意味する。「ある実施形態」、「一実施形態」、または「一部の実施形態」の様々な記載は、必ずしもすべてが同じ実施形態に言及しているわけではない。
【００２５】
本明細書で説明され、図示された構成部品、特徴、構造、特性などのすべてが、特定の実施形態または複数の実施形態に含まれる必要はない。本明細書において、ある構成部品、特徴、構造、または特性が、例えば、含「まれてよい」、「まれることができる」と述べられている場合、その特定の構成部品、特徴、構造、または特性が含まれる必要はない。本明細書または特許請求の範囲において、「ある」要素が言及されている場合、このことは、その要素が１つしか存在しないことを意味しているわけではない。本明細書または特許請求の範囲において、「追加の」要素が言及されている場合、このことは、１つより多くの追加の要素が存在することを除外していない。
【００２６】
フロー図および／または状態図が、実施形態を説明するために本明細書で使用されている場合もあるが、本発明は、これらの図または本明細書の対応する説明に限定されるわけではない。例えば、フローは、図示されたそれぞれのボックスまたは状態を経て進行する必要はないし、本明細書で図示および説明されているのと厳密に同じ順序で進行する必要もない。
【００２７】
本発明は、本明細書で列挙された特定の詳細に限定されない。実際、本開示の利益を得る当業者は、多くの他の変形例が、本発明の範囲内で、前述の説明および図面から作られ得ることを理解するだろう。したがって、本発明に関する修正例を包含する以下の特許請求の範囲が、本発明の範囲を規定している。
【図１】
2015510139.tif 000003
【図２】
2015510139.tif 000004
【国際調査報告】
2015510139.tif 000005
2015510139.tif 000006